(57)【要約】      （修正有）【課題】衛生的で安全な密閉型負圧吸引装置を提供する。【解決手段】硬質の外筒１０と軟質の内筒柔軟袋２０とが組み合わされ、内筒柔軟袋２０が外筒１０の内部に配置されたとき、内筒柔軟袋と外筒との間には、適当な隙間が形成され、内筒柔軟袋の上部には、外筒の筒口に被覆され、外筒を密閉する外筒蓋３０が接合される。外筒蓋には、廃液、痰などの逆流を防止する一方向弁３６が内端に配置された吸入口３５が配置され、吸入口３５の外端には、吸引導管が接続される。外筒蓋には、外筒と内筒柔軟袋とを貫通する隠密吸引口３７が設けられ、隠密吸引口の内筒柔軟袋の内部に位置する端部には、フィルタ３９が配置され、外筒の筒壁の所定の位置には、負圧接続口１３を有し、挿入係合される固定部付吸引口１１が配置される。【選択図】図２
0003151290.tif 000002
【実用新案登録請求の範囲】
【請求項１】
主に硬質の外筒と、軟質の内筒柔軟袋とが組み合わされてなり、前記内筒柔軟袋の径寸法は、前記外筒の内径より、若干小さく、前記内筒柔軟袋が前記外筒の内部に配置されたとき、前記内筒柔軟袋と前記外筒との間には、適当な隙間が形成され、前記内筒柔軟袋の上部には、前記外筒の筒口に被覆され、前記外筒を密閉する外筒蓋が接合され、
前記外筒蓋の所定の位置には、突出管である吸入口が設けられ、前記吸入口の内端には、一方向弁が配置され、前記吸入口の外端には、吸引導管が挿入接続され、前記外筒蓋の一側には、隠密吸引口が設けられ、前記隠密吸引口の通路は、前記内筒柔軟袋の内部に貫通し、前記隠密吸引口の前記内筒柔軟袋の内部に位置する通路の端部には、ろ過機能を有するフィルタが配置され、前記外筒蓋の上端には、注出口および蓋が配置され、前記外筒の筒壁の一側の所定の位置には、固定部付吸引口が配置され、前記固定部付吸引口の吸引通路は、前記内筒柔軟袋と前記外筒との間の隙間に貫通し、前記固定部付吸引口の外部には、負圧接続口が配置され、前記負圧接続口には、ガス供給装置または負圧吸引装置が接続され、廃液、痰などの吸引がスムーズに行われることを特徴とする密閉型負圧吸引装置。
【請求項２】
前記外筒蓋の上面周縁には、取っ手が配置されることを特徴とする請求項１記載の密閉型負圧吸引装置。
【請求項３】
主に硬質の外筒と、軟質の内筒柔軟袋とが組み合わされてなり、前記内筒柔軟袋の径寸法は、外筒の内径より、若干小さく、前記内筒柔軟袋が前記外筒の内部に配置されたとき、前記内筒柔軟袋と前記外筒との間には、適当な隙間が形成され、前記内筒柔軟袋の上部には、前記外筒の筒口に被覆され、前記外筒を密閉する外筒蓋が接合され、
前記外筒蓋の所定の位置には、突出管である吸入口が設けられ、前記吸入口の内端には、一方向弁が配置され、前記吸入口の外端には、吸引導管が挿入接続され、前記外筒蓋の一側には、隠密吸引口が設けられ、前記隠密吸引口の通路は、前記内筒柔軟袋の内部に貫通し、前記内筒柔軟袋の上端には、伸縮部が設けられ、前記隠密吸引口の前記内筒柔軟袋の内部に位置する通路の端部には、ろ過機能を有するフィルタおよびフィルタカバーが配置され、前記外筒蓋の上端には、注出口および蓋が配置され、前記蓋の一側には、前記外筒蓋の上に設けられた係合台に係合される線状係合部が一体成形され、前記外筒の筒壁の一側の所定の位置には、一体式固定部付吸引口が配置され、前記一体式固定部付吸引口の吸引通路は、前記内筒柔軟袋と前記外筒との間の隙間に貫通し、前記一体式固定部付吸引口の外部には、負圧接続口が配置され、前記負圧接続口には、ガス供給装置または負圧吸引装置が接続され、廃液、痰などの吸引がスムーズに行われることを特徴とする密閉型負圧吸引装置。
【請求項４】
主に硬質の外筒と、軟質の内筒柔軟袋とが組み合わされてなり、前記内筒柔軟袋の径寸法は、前記外筒の内径より、若干小さく、前記内筒柔軟袋が前記外筒の内部に配置されたとき、前記内筒柔軟袋と前記外筒との間には、適当な隙間が形成され、前記内筒柔軟袋の上部には、前記外筒の筒口に被覆され、前記外筒を密閉する外筒蓋が接合され、
前記外筒蓋の所定の位置には、突出管である吸入口が設けられ、前記吸入口の内端には、一方向弁が配置され、前記吸入口の外端には、吸引導管が挿入接続され、前記外筒蓋の所定の位置には、２つの突出管である負圧吸引口が設けられ、一方の負圧吸引口は、前記内筒柔軟袋の内部に貫通し、前記一方の負圧吸引口の内端には、ろ過機能を有するフィルタおよびフィルタカバーが配置され、前記内筒柔軟袋の上端には、伸縮部が設けられ、他方の負圧吸引口は、前記内筒柔軟袋と前記外筒との間の隙間に貫通し、前記２つの負圧吸引口には、一方の端部に２つの接続部を有する管継手が接続され、前記管継手の他方の端部は、ガス供給装置または負圧吸引装置の吸引口に接続されることを特徴とする密閉型負圧吸引装置。
【請求項５】
前記外筒蓋の上面周縁には、取っ手が配置されることを特徴とする請求項４記載の密閉型負圧吸引装置。
【考案の詳細な説明】
【技術分野】
【０００１】
本考案は、密閉型負圧吸引装置に関し、特に、硬質の外筒と、軟質の内筒柔軟袋と、が組み合わされてなり、内筒柔軟袋の上部には、外筒の筒口に被覆され、外筒を密閉する外筒蓋が接合され、外筒蓋には、外筒と内筒柔軟袋とを貫通する隠密吸引口が設けられ、内筒柔軟袋が外筒の内径に接合されることにより、管接続に必要な材料およびステップが低減され、外筒の筒壁の所定の位置には、負圧接続口を有し、挿入係合される固定部付吸引口が配置され、負圧接続口には、ガス供給装置または負圧吸引装置が接続され、負圧接続口から内筒柔軟袋の内部の気体および外筒と内筒柔軟袋との間の隙間の気体が同時に吸引され、内筒柔軟袋内が負圧状態になり、生成された負圧吸引力により、廃棄物の収集が行われ、ユーザは、安全で簡単に廃棄物の収集を行うことができ、労力および医療廃棄物を低減することができる密閉型負圧吸引装置に関する。
【背景技術】
【０００２】
一般に、手術室または外科、産婦人科などの各臨床科では、従来の廃液収集タンクが使用されている。従来の廃液収集タンクは、汚染されている危険があり、後続処理が適切に行われない場合、院内感染源となる。また、医療上の廃液または痰が廃水として処理され、その他の汚染された液体と共に、排水管または他の排水装置中に排出された場合、医療上の廃液または痰に含まれる大量の病原菌により、環境が汚染される恐れがある。また、一般に、汚水処理により、汚水を完全に浄化することは難しく、医療上の廃液、痰などが外部に排出されることにより、居住環境が汚染される恐れがある。
【０００３】
従来の廃液、痰などの収集における欠点に鑑み、本考案の考案者は、長年に渡る医療機器の製造および販売経験に基づき、研究および改良を重ね、本考案の密閉型負圧吸引装置を案出した。
【先行技術文献】
【特許文献】
【０００４】
【特許文献１】特開２００７−２３６５９０号公報
【考案の概要】
【考案が解決しようとする課題】
【０００５】
本考案の第１の目的は、負圧を利用した簡単な構造により、患者の負担を軽減することができ、優れた吸引効率を有する密閉型負圧吸引装置を提供することにある。
本考案の第２の目的は、従来の重複して使用される収集容器の替わりに、使い捨ての内筒柔軟袋が使用され、廃液、痰などが所定の容量吸引された後、内筒柔軟袋を取り出し、医療廃棄物として処理することができるため、洗浄作業を行う必要がない上、病気の伝染を有効的に低減することができる衛生的で安全な密閉型負圧吸引装置を提供することにある。
本考案の第３の目的は、使い捨ての内筒柔軟袋を使用することにより、袋内に蒸留水を注入する必要がないため、水分が導管および機器に浸入することがなく、吸引装置の正常な動作が維持され、使用寿命が長い密閉型負圧吸引装置を提供することにある。
本考案の第４の目的は、内筒柔軟袋が接合される外筒蓋に、取っ手が一体成形されるため、内筒柔軟袋の取り出し作業および廃棄作業に便利である密閉型負圧吸引装置を提供することにある。
【課題を解決するための手段】
【０００６】
上述の課題を解決するために、本考案の密閉型負圧吸引装置は、硬質の外筒と、軟質の内筒柔軟袋と、が組み合わされてなる。内筒柔軟袋の上部には、外筒の筒口に被覆され、外筒を密閉する外筒蓋が接合される。外筒蓋には、外筒と内筒柔軟袋とを貫通する隠密吸引口が設けられる。内筒柔軟袋が外筒の内径に接合されることにより、管接続に必要な材料およびステップが低減される。外筒の筒壁の所定の位置には、負圧接続口を有し、挿入係合される固定部付吸引口が配置され、負圧接続口には、ガス供給装置または負圧吸引装置が接続される。負圧接続口から内筒柔軟袋の内部の気体および外筒と内筒柔軟袋との間の隙間の気体が同時に吸引され、内筒柔軟袋内が負圧状態になり、生成された負圧吸引力により、廃棄物の収集が行われる。外筒蓋には、取っ手が一体成形され、内筒柔軟袋を取り出すとき、取っ手を操作することにより、内筒柔軟袋を外筒から取り出すことができるため、簡単に廃棄物の廃棄作業を行うことができる。
【考案の効果】
【０００７】
本考案の密閉型負圧吸引装置は、硬質の外筒と、軟質の内筒柔軟袋と、が組み合わされた二層の容器を廃液、痰などの収集容器とするものである。本考案の密閉型負圧吸引装置は、廃液、痰などを収集した後、軟質の内筒柔軟袋を取り出して処理することができる。新しい内筒柔軟袋に交換することにより、密閉型負圧吸引装置を継続して使用することができるため、洗浄作業が必要ない上、病原菌の伝染を防止することができ、衛生的で安全である。また、本考案の密閉型負圧吸引装置は、医療上の痰除去作業などを行う以外に、他の廃液吸引を行うこともでき、極めて高い産業上の利用性を有する。
【図面の簡単な説明】
【０００８】
【図１】本考案の第１実施形態による密閉型負圧吸引装置を示す斜視図である。
【図２】本考案の第１実施形態による密閉型負圧吸引装置を示す分解斜視図である。
【図３】本考案の第１実施形態による密閉型負圧吸引装置を示す断面図である。
【図４】本考案の第１実施形態による密閉型負圧吸引装置を示す上面図である。
【図５】本考案の第１実施形態による密閉型負圧吸引装置をガス供給装置に配置した状態を示す正面図である。
【図６】本考案の第２実施形態による密閉型負圧吸引装置を示す斜視図である。
【図７】本考案の第２実施形態による密閉型負圧吸引装置を示す分解斜視図である。
【図８】本考案の第２実施形態による密閉型負圧吸引装置を示す断面図である。
【図９】本考案の第２実施形態による密閉型負圧吸引装置を示す上面図である。
【図１０】本考案の第２実施形態による密閉型負圧吸引装置を示す側面図である。
【図１１】本考案の第２実施形態による密閉型負圧吸引装置を示す正面図である。
【図１２】本考案の第３実施形態による密閉型負圧吸引装置を示す分解斜視図である。
【図１３】本考案の第３実施形態による密閉型負圧吸引装置を示す分解斜視図である。
【図１４】本考案の第３実施形態による密閉型負圧吸引装置を示す斜視断面図である。
【図１５】本考案の第３実施形態による密閉型負圧吸引装置を示す上面図である。
【図１６】本考案の第３実施形態による密閉型負圧吸引装置を示す透過図である。
【考案を実施するための形態】
【０００９】
本考案の目的、特徴および効果を示す実施形態を図面に沿って詳細に説明する。
【００１０】
（第１実施形態）
図１から図５を参照する。図１から図５は、本考案の第１実施形態を示す。本考案の第１実施形態による密閉型負圧吸引装置は、主に、硬質の外筒１０と、軟質の内筒柔軟袋２０と、が組み合わされてなる。内筒柔軟袋２０の径寸法は、外筒１０の内径より、若干小さい。内筒柔軟袋２０が外筒１０の内部に配置されたとき、内筒柔軟袋２０と外筒１０との間には、適当な隙間が形成される。内筒柔軟袋２０の上部には、径寸法が外筒１０の筒口に略符合する外筒蓋３０が接合される。外筒蓋３０には、環状嵌合溝３１が設けられ、環状嵌合溝３１が外筒１０の筒口縁部に嵌合されて位置決めされることにより、外筒蓋３０は、外筒１０の筒口に被覆され、外筒１０を密閉する。また、外筒蓋３０の上面周縁には、取っ手３２が一体成形され、必要なとき、取っ手３２を操作し、内筒柔軟袋２０と外筒１０とを分離したり、内筒柔軟袋２０を外筒１０内にガイドしたり、する。上述の構造により、本考案の第１実施形態による密閉型負圧吸引装置の基本機能が構成される。
【００１１】
外筒蓋３０の所定の位置には、必要なときに、廃液、痰などの注出に使用される大きな孔径の注出口３３が設けられる。注出口３３には、注出口３３を密閉する蓋３４が配置される。外筒蓋３０の一側には、突出管である吸入口３５が設けられ、吸入口３５の内端には、一方向弁３６が配置される。吸入口３５の外端には、吸引導管３５１が挿入接続される。外筒蓋３０の一側には、隠密吸引口３７が設けられ、隠密吸引口３７の通路３８は、内筒柔軟袋２０の内部と、内筒柔軟袋２０と外筒１０との間の隙間と、を貫通する。隠密吸引口３７の内筒柔軟袋２０の内部に位置する通路３８の端部には、ろ過機能を有するフィルタ３９が配置される。外筒１０の筒壁の一側の所定の位置には、固定部付吸引口１１が配置され、固定部付吸引口１１の吸引通路１２は、内筒柔軟袋２０と外筒１０との間の隙間に貫通する。固定部付吸引口１１の外部には、負圧接続口１３が配置され、負圧接続口１３は、ガス供給装置または負圧吸引装置に接続される。上述の構造により、本考案の第１実施形態による密閉型負圧吸引装置の全ての機能が構成される。
【００１２】
ガス供給装置または負圧吸引装置と、固定部付吸引口１１および隠密吸引口３７と、が組み合わされ、吸引力が生成されることにより、廃液、痰などの吸引作業が行われる。内筒柔軟袋２０の内部の気体は、まず、隠密吸引口３７から内筒柔軟袋２０と外筒１０との間の隙間へ吸引される。気体が吸引されるとき、フィルタ３９のろ過により、病原体および異臭が外部に漏れることが防止される。また、内筒柔軟袋２０を取り出すのに便利なように、内筒柔軟袋２０の上端に伸縮部２０１が設けられる。
続いて、内筒柔軟袋２０と外筒１０との間の隙間の気体は、固定部付吸引口１１の吸引通路１２および負圧接続口１３から外部に吸引される。即ち、内筒柔軟袋２０の気体および外筒１０と内筒柔軟袋２０との間の隙間の気体が同時に抽出される。内筒柔軟袋２０の気体および外筒１０と内筒柔軟袋２０との間の隙間の気体が同時に抽出されたとき、内筒柔軟袋２０の内部には、完全に密閉された負圧状態が形成される。廃液、痰などは、吸引導管３５１から内筒柔軟袋２０に収集され、廃液、痰などが所定の容量に達した後、フィルタ３９への流入が停止される。廃液、痰などが所定の容量に達したとき、外筒蓋３０の取っ手３２を操作することにより、内筒柔軟袋２０を外筒１０から取り出すことができ、廃棄物処理法に基づいて後続処理が行われる。以上のステップにより、人体廃液、痰などの吸引作業が行われる。
【００１３】
（第２実施形態）
図６から図１１を参照する。図６から図１１は、本考案の第２実施形態を示す。本考案の第２実施形態による密閉型負圧吸引装置は、主に、硬質の外筒１０と、軟質の内筒柔軟袋２０と、が組み合わされてなる。内筒柔軟袋２０の径寸法は、外筒１０の内径より、若干小さい。内筒柔軟袋２０が外筒１０の内部に配置されたとき、内筒柔軟袋２０と外筒１０との間には、適当な隙間が形成される。内筒柔軟袋２０の上部には、径寸法が外筒１０の筒口に略符合する外筒蓋３０が接合される。外筒蓋３０には、環状嵌合溝３１が設けられ、環状嵌合溝３１が外筒１０の筒口縁部に嵌合されて位置決めされることにより、外筒蓋３０は、外筒１０の筒口に被覆され、外筒１０を密閉する。また、外筒蓋３０の上面周縁には、取っ手３２が一体成形され、必要なとき、取っ手３２を操作し、内筒柔軟袋２０と外筒１０とを分離したり、内筒柔軟袋２０を外筒１０内にガイドしたり、する。上述の構造により、本考案の第２実施形態による密閉型負圧吸引装置の基本機能が構成される。
【００１４】
外筒蓋３０の所定の位置には、必要なときに、廃液、痰などの注出に使用される大きな孔径の注出口３３が設けられる。注出口３３には、蓋３４が配置され、密閉される。蓋３４の一側には、線状係合部３４１が一体成形され、外筒蓋３０に成形された係合台３４２に係合される。線状係合部３４１および係合台３４２により、注出口３３から蓋３４が取り外されても、蓋３４は外筒蓋３０から離れない。外筒蓋３０の一側には、突出管である吸入口３５が設けられ、吸入口３５の内端には、一方向弁３６が配置される。吸入口３５の外端には、吸引導管３５１(図５を参照)が挿入接続される。
外筒蓋３０の一側には、隠密吸引口３７が設けられ、隠密吸引口３７の通路３８は、内筒柔軟袋２０の内部と、内筒柔軟袋２０と外筒１０との間の隙間と、を貫通する。隠密吸引口３７の内筒柔軟袋２０の内部に位置する通路３８の端部には、ろ過機能を有するフィルタ３９およびフィルタカバー３９１が配置される。外筒１０の筒壁の一側の所定の位置には、一体式固定部付吸引口１１１が配置され、一体式固定部付吸引口１１１の吸引通路１１２は、内筒柔軟袋２０と外筒１０との間の隙間に貫通する。一体式固定部付吸引口１１１の外部には、負圧接続口１１３が配置され、負圧接続口１１３は、ガス供給装置または負圧吸引装置に接続される。上述の構造により、本考案の第２実施形態による密閉型負圧吸引装置の全ての機能が構成される。
【００１５】
ガス供給装置または負圧吸引装置と、一体式固定部付吸引口１１１および隠密吸引口３７と、が組み合わされ、吸引力が生成されることにより、廃液、痰などの吸引作業が行われる。内筒柔軟袋２０の内部の気体は、まず、隠密吸引口３７から内筒柔軟袋２０と外筒１０との間の隙間へ吸引される。気体が吸引されるとき、フィルタ３９およびフィルタカバー３９１の２重のろ過により、病原体および異臭が外部に漏れることが防止される。続いて、内筒柔軟袋２０と外筒１０との間の隙間の気体は、一体式固定部付吸引口１１１の吸引通路１１２および負圧接続口１１３から外部に吸引される。即ち、内筒柔軟袋２０の気体および外筒１０と内筒柔軟袋２０との間の隙間の気体が同時に抽出される。内筒柔軟袋２０の気体および外筒１０と内筒柔軟袋２０との間の隙間の気体が同時に抽出されたとき、内筒柔軟袋２０の内部には、完全に密閉された負圧状態が形成される。廃液、痰などが所定の容量に達した後、フィルタ３９への流入が停止される。廃液、痰などが所定の容量に達したとき、外筒蓋３０の取っ手３２を操作することにより、内筒柔軟袋２０を外筒１０から取り出すことができ、廃棄物処理法に基づいて後続処理が行われる。以上のステップにより、人体廃液、痰などの吸引作業が行われる。
【００１６】
（第３実施形態）
図１２から図１６を参照する。図１２から図１６は、本考案の第３実施形態を示す。本考案の第３実施形態による密閉型負圧吸引装置は、主に、硬質の外筒４０と、軟質の内筒柔軟袋５０と、が組み合わされてなる。内筒柔軟袋５０の径寸法は、外筒４０の内径より、若干小さい。内筒柔軟袋５０が外筒４０の内部に配置されたとき、内筒柔軟袋５０と外筒４０との間には、適当な隙間が形成される。内筒柔軟袋５０の上端には、廃液、痰などが所定の容量に達した後、内筒柔軟袋５０を取り出すのに便利なように、伸縮部５０１が設けられる。内筒柔軟袋５０の上部には、径寸法が外筒４０の筒口に略符合する外筒蓋６０が接合される。外筒蓋６０の底面周縁には、環状嵌合溝６１が設けられ、外筒蓋６０は、外筒４０の筒口に被覆され、外筒４０を密閉する。また、外筒蓋６０の上面周縁には、取っ手６２が一体成形され、必要なとき、取っ手６２を操作し、内筒柔軟袋５０と外筒４０とを分離したり、内筒柔軟袋５０を外筒４０内にガイドしたり、する。上述の構造により、本考案の第３実施形態による密閉型負圧吸引装置の基本機能が構成される。
【００１７】
外筒蓋６０の所定の位置には、突出管である吸入口６３が設けられ、吸入口６３の内端には、一方向弁６４が配置される。吸入口６３の外端には、吸引導管が挿入接続される。外筒蓋６０の所定の位置には、２つの突出管である負圧吸引口６５、６６が設けられる。一方の負圧吸引口６５は、内筒柔軟袋５０の内部に貫通し、内端には、ろ過機能を有するフィルタ６７およびフィルタカバー６７１が配置される。他方の負圧吸引口６６は、内筒柔軟袋５０と外筒４０との間の隙間に貫通する。２つの負圧吸引口６５、６６には、一方の端部に２つの接続部を有する管継手６８が接続される。管継手６８の他方の端部は、ガス供給装置または負圧吸引装置に接続される。上述の構造により、本考案の第３実施形態による密閉型負圧吸引装置の全ての機能が構成される。
【００１８】
ガス供給装置または負圧吸引装置の動作により、内筒柔軟袋５０の内部および内筒柔軟袋５０と外筒４０との間の隙間の気体が吸引され、内筒柔軟袋５０の内部が負圧状態になり、廃液、痰などの吸引作業が行われる。廃液、痰などは、吸引導管から内筒柔軟袋５０に収集され、廃液、痰などが所定の容量に達した後、フィルタ６７への流入が停止される。廃液、痰などが所定の容量に達したとき、外筒蓋６０の取っ手６２を操作することにより、内筒柔軟袋５０を外筒４０から取り出すことができ、後続の医療廃棄物処理が行われる。以上のステップにより、人体廃液、痰などの吸引作業が行われる。
【００１９】
本考案の密閉型負圧吸引装置は、硬質の外筒と、軟質の内筒柔軟袋と、が組み合わされた２層の容器を廃液、痰などの収集容器とするものである。本考案の密閉型負圧吸引装置は、廃液、痰などを収集した後、軟質の内筒柔軟袋を取り出して処理することができる。新しい内筒柔軟袋に交換することにより、密閉型負圧吸引装置を継続して使用することができるため、洗浄作業が必要ない上、病原菌の伝染を防止することができ、衛生的で安全である。また、本考案の密閉型負圧吸引装置は、医療上の痰除去作業などを行う以外に、他の廃液吸引を行うこともでき、極めて高い産業上の利用性を有する。
【００２０】
以上の説明から分かるように、本考案の密閉型負圧吸引装置により、従来の同類製品の種々の欠点を解決することができ、優れた考案である。
【符号の説明】
【００２１】
１０  外筒
１１  固定部付吸引口
１２  吸引通路
１３  負圧接続口
２０  内筒柔軟袋
３０  外筒蓋
３１  環状嵌合溝
３２  取っ手
３３  注出口
３４  蓋
３５  吸入口
３６  一方向弁
３７  隠密吸引口
３８  通路
３９  フィルタ
４０  外筒
５０  内筒柔軟袋
６０  外筒蓋
６１  環状嵌合溝
６２  取っ手
６３  吸入口
６４  一方向弁
６５  負圧吸引口
６６  負圧吸引口
６７  フィルタ
６８  管継手
１１１  一体式固定部付吸引口
１１２  吸引通路
１１３  負圧接続口
２０１  伸縮部
３４１  線状係合部
３４２  係合台
３５１  吸引導管
３９１  フィルタカバー
５０１  伸縮部
６７１  フィルタカバー
【図１】
0003151290.tif 000003
【図２】
0003151290.tif 000004
【図３】
0003151290.tif 000005
【図４】
0003151290.tif 000006
【図５】
0003151290.tif 000007
【図６】
0003151290.tif 000008
【図７】
0003151290.tif 000009
【図８】
0003151290.tif 000010
【図９】
0003151290.tif 000011
【図１０】
0003151290.tif 000012
【図１１】
0003151290.tif 000013
【図１２】
0003151290.tif 000014
【図１３】
0003151290.tif 000015
【図１４】
0003151290.tif 000016
【図１５】
0003151290.tif 000017
【図１６】
0003151290.tif 000018